(57)【要約】【課題】浮力の調整と水中での浮子の落下速度の調整とを容易に行える浮子を提供する。この調整を無段階で行うことが可能である。【解決手段】内部に気体を収納する気体室と液体を収納できる液体室とを有し、当該気体室および／または当該液体室の容積を可変にする。浮子の比重を０．００〜０．３０の範囲で可変にすることが好ましい。【選択図】　なし【特許請求の範囲】
【請求項１】
比重を０．００〜０．３０の範囲で可変にした浮子。
【請求項２】
内部に気体を収納する気体室と液体を収納できる液体室とを有し、当該気体室および／または当該液体室の容積を可変にした浮子。
【請求項３】
比重を０．００〜０．３０の範囲で可変にした請求項２に記載の浮子。
【請求項４】
前記気体室と前記液体室との間に移動可能な隔壁を有する請求項２または３に記載の浮子。
【請求項５】
前記隔壁がねじにより移動可能である請求項２〜４のいずれかに記載の浮子。
【請求項６】
前記液体室が、浮子外部と連結するための１以上の連通孔を有する請求項２〜５のいずれかに記載の浮子。
【請求項７】
前記連通孔のいずれかが浮子の最高部位近傍における開口部を介して外部と連結する請求項２〜６のいずれかに記載の浮子。
【請求項８】
前記連通孔のいずれかを介して外部から前記ねじを操作可能である請求項２〜７のいずれかに記載の浮子。
【請求項９】
前記隔壁が漏水防止シール部によりシールされている請求項２〜８のいずれかに記載の浮子。
【発明の詳細な説明】
【０００１】
【発明の属する技術分野】
本願発明は、釣り用の浮子に関する。更に詳しくは、比重を可変にした釣り用の浮子に関する。
【０００２】
【従来の技術】
釣り用の浮子は、本来、魚が餌を銜えたことを釣り人が認識するためのものである
従って、魚が餌を銜えていない状態では、水中に部分的に没した形で水上を漂うものが一般的である。
【０００３】
しかしながら、水中に没した部分と水上にある部分との割合を微妙に変更したい場合がある。
【０００４】
たとえば、魚信としては、浮子が完全に水没する時の波紋が目視で把握し易いため、浮子がわずかに水面上に顔を出す状態にしたい場合がある。つまり浮子の浮力を調整したい場合がある。
【０００５】
また、魚の就餌挙動に敏感に応答するようにしたい場合がある。
【０００６】
たとえば、淡水魚のヘラブナ釣りや海水魚の黒鯛（チヌ）釣りの場合、微妙な魚信を区別して、単に餌をせせっている状態か、針掛かりするほどに餌を銜えた状態かを見極めたいようなときである。
【０００７】
このときには、この就餌状態の変化を、水中に没した部分と水上にある部分との割合の変化として、目視により明確に把握できるようにするため、目盛り用の縞模様のある棒部を有する非常に長い棒浮子を使用することがあるが、同時に浮子の浮力を適切な範囲にして、浮子が就餌状態の変化に敏感に応答できるようにすることも重要である。
【０００８】
そして、これらの目的を達成するためには、通常、浮子そのものを変更するかおもりの大きさを変更する。
【０００９】
さらに、浮子を完全に水中に沈ませ、水中での落下速度を調節したい場合がある。
【００１０】
メジナ（クロ）のような海水魚の場合には、淡水魚の場合より頻繁に、このような場合がある。
【００１１】
たとえば、かなり深い層にいる魚に餌を届けたい場合である。
【００１２】
この場合、あまり急速に餌が沈降するようでは、目的とするタナ（水中における魚の遊泳層）にとどまる時間が短くなる。従って、餌がゆっくり沈んでいくことが望まれる場合が多い。
【００１３】
このためには、典型的には、浮子、釣り糸、おもり、釣り針、餌よりなる浮子下部分（以下、単に浮子下部分という場合がある）の全体の比重が水の比重より大きくかつ水の比重にできるだけ近いことが好ましい。この場合も、浮子の変更やおもりの調節に頼ることが必要となる。
【００１４】
さらに、餌取りとかジャミとか呼ばれる目的外の魚がより上層にいる場合には、その上層を素早く通り抜け、しかもより下層にある目的とするタナにとどまる時間が長くなることが望まれる場合がある。
【００１５】
このためには、浮子下の釣り糸の長さを、海面から当該上層に達する長さより長くし、おもりの作用により、餌のついた釣り針を素早く沈めて当該上層を素早く通り抜けさせ、その後、浮子の浮力が加わることにより、浮子下部分の全体の比重が水の比重より大きくかつ水の比重にできるだけ近いことが好ましい。
【００１６】
この場合も、浮子の変更やおもりの調節に頼ることが必要となるが、最初素早く沈めるために重いおもりを使用し、そのおもりを考慮して浮子を変更する必要があり、調整がより複雑になる。
【００１７】
【発明が解決しようとする課題】
上記のような浮子の変更やおもりの調節は経験を必要とし、容易ではない。
【００１８】
さらに、浮子の変更のために何十ｃｍにもなる浮子をいくつも用意するのは、身軽に移動したい釣り人にとっては苦痛である。
【００１９】
また、おもりの調節は、鉛製の板おもりを使用すれば、切り取りが容易であるため比較的容易になるが、切り取って不要となった鉛板が放置される可能性があり、環境を汚染することになる。
【００２０】
また、いわゆるカミツブシと呼ばれるタイプのおもりを使用した場合には、おもりの取り外しができなくなる。
【００２１】
さらに、海釣りの場合には、海流の状態によっては、浮子が急速に水中に引き込まれたり、逆に水中から水面に向かって押し上げられるような場合がある。しかも、海水の場合は、潮の満ち引きに従って、その状況が刻々変化する。
【００２２】
さらに、魚のタナ自体も刻々変化する。
【００２３】
従って、釣り場の状況に応じて、水中での浮子の落下速度を調節するのは容易ではない。
【００２４】
本願発明は、これらの諸問題を解決し、浮子の浮力の調整と水中での浮子の落下速度の調整とを容易に行える技術を提供することを目的とする。
【００２５】
本願発明のさらに他の目的および利点は、以下の説明から明らかになるであろう。
【００２６】
【課題を解決するための手段】
本願発明によれば、比重の観点からは、比重を０．００〜０．３０の範囲で可変にした浮子が提供される。
【００２７】
また、内部に気体を収納する気体室と液体を収納できる液体室とを有し、当該気体室および／または当該液体室の容積を可変にした浮子が提供される。
【００２８】
これらにより、浮子の浮力の調整と水中での浮子の落下速度の調整とを容易に行えるようになる。
【００２９】
両者を組み合わせたものが特に好ましい。
【００３０】
なお、更に具体的には、気体室と液体室との間に移動可能な隔壁を有すること、隔壁がねじにより移動可能であること、液体室が、浮子外部と連結するための１以上の連通孔を有すること、連通孔のいずれかが浮子の最高部位近傍における開口部を介して外部と連結すること、連通孔のいずれかを介して外部から上記ねじを操作可能であること、隔壁が漏水防止シール部によりシールされていることが好ましい。
【００３１】
比較的単純な構造で本願発明の目的を達成できるからである。
【００３２】
なお、以下に説明する発明の実施の形態や図面の中で、本願発明の更なる特徴が明らかにされる。
【００３３】
【発明の実施の形態】
以下に、本願発明の実施の形態を、実施例、図等を使用して説明する。なお、これらの実施例、図等および説明は本願発明を例示するものであり、本願発明の範囲を制限するものではない。本願発明の趣旨に合致する限り他の実施の形態も本願発明の範疇に属し得ることは言うまでもない。なお、図中、同一の部分については同一の符号を付すものとする。
【００３４】
なお、本願明細書において「水中」と言うときは、特に断らない限り、必ずしも浮子の全体が水没していることを意味せず、大部分が水上にある場合や部分的に水上に露出している場合を含む。
【００３５】
図１は、本願発明に係る浮子の１例の横断面図を表す。
【００３６】
図１は、半球２側が上になった状態（この状態を本願明細書では浮子が立つと称する）を示す。
【００３７】
また、図２はこの浮子の外観を示す。
【００３８】
図１において、半球２と半球３とで、本願発明に係る、気体室４、液体室５、隔壁６等を収容する中空部を有する浮子１が形成される。
【００３９】
半球２と半球３とは、必要な部材を上記中空部に組み込むために分割されたもので、工法によっては一体型であっても良く、また、どのように分割しても良い。
【００４０】
中空部の中心には、断面が円形の縦筒部７が設けられており、その側面には、液体室５と連結する楕円形の連通孔８が設けられている。
【００４１】
縦筒部７の下部には、使用時に浮子が立つようにおもり（ウエイト）１１が取り付けてあり、その下には、釣り糸に通すための環１２が取り付けてある。
【００４２】
また、半球３の側面には、液体室５と外部とを連結する楕円形の連通孔９，１０が設けられている。連通孔９，１０が楕円形であることは図２に示されている。
【００４３】
浮子が釣りに使用されると、連通孔８，９，１０のいずれかから水が液体室５に入り込み、内部にあった空気は、連通孔８，９，１０のいずれかから外部に押し出される。波のうねりがあれば浮子が色々な方向に傾くので空気の排出が促進される。
【００４４】
そして、水中でおもり１１の作用により浮子が立つと、液体室５内に残った空気が連通孔８と縦筒部７とを介して外部に放出される。
【００４５】
この目的のため、連通孔８は、隔壁６が一番上に移動させた場合にも、隔壁６の下面１３より低くならない位置に孔の上端が及ぶように設置してある。
【００４６】
隔壁６は、押し上げナット１４による押し上げと圧縮コイルバネ１５とのバランスにより、縦筒部７の外面上を摺動する。
【００４７】
隔壁６と縦筒部７の外面との間には漏水防止パッキン１６が、隔壁６と半球２の内面との間には漏水防止パッキン１７が設けられており、液体室５に水が進入しても、気体室４内には水が進入することはない。
【００４８】
なお、隔壁６を上に移動させた場合、気体室４内の空気は圧縮され、上記押し上げナット１４による押し上げと圧縮コイルバネ１５とのバランスに影響することになるが、その程度は通常微弱である。
【００４９】
押し上げナット１４の外観は図３のようになっている。
【００５０】
縦筒部７の下部外面２０にはねじが設けてあり、押し上げナット１４の対応する位置に設けられたねじ溝と螺合している。
【００５１】
そして、連通孔９または１０からマイナスドライバを挿入し、押し上げナットの溝１８をこじることにより、押し上げナット１４を上方または下方に移動することができる。
【００５２】
凸部１９は押し上げナット１４と隔壁６との接触面積を小さくし、隔壁６の押し上げ、押し下げを容易にするためのものである。
【００５３】
種々の検討の結果、本願発明の目的を達成するには、上記のように、内部に気体を収納する気体室と液体を収納できる液体室とを有し、当該気体室および／または当該液体室の容積を可変にした浮子が好ましいことが判明した。
【００５４】
ただし、容積の変更方法は上記に限定する必要はなく、本願発明の趣旨に反しない限り、どのような方法によっても良い。
【００５５】
たとえば、上記半球２，３の材質として、外から押すことによって凹むような物を使用すれば、隔壁を移動させなくても容積を変更し得る。
【００５６】
また、本願発明の目的を達成する手段を比重の観点から見れば、浮子の比重を０．００〜０．３０の範囲で可変にすることが有効であることが判明した。なお、「浮子の比重を０．００〜０．３０の範囲で可変にする」とは、浮子のある比重αに対し、（α＋０．００）〜（α＋０．３０）の範囲で可変にすることを意味する。
【００５７】
この場合、上記範囲で下限の０．００に当たる場合の比重を、隔壁６が下限にある場合等に実現されるように、液体室の容積が最も小さい場合であって、使用する液体で充満している場合の比重として選択することができる。
【００５８】
また、比重の可変範囲における上限としての比重を、隔壁６が上限にある場合等に実現されるように、液体室の容積が最も大きい場合であって、使用する液体で充満している場合の比重として選択することができる。このようにして浮子の比重をαとした場合、浮子の比重を０．００〜０．３０の範囲での範囲で可変にし、絶対値としては、（α＋０．００）〜（α＋０．３０）にできることになる。なお、充満する液体としては比重１のものを使用してある。
【００５９】
なお、上記の０．００〜０．３０の範囲に代えて、０．００〜０．２０の方が好ましく、０．００〜０．０１の範囲の方がさらに好ましい場合もある。
【００６０】
どちらの範囲が好ましいかは、釣りの条件や釣り人の好みによる場合がある。一つの浮子でより広い比重調節を実現したい場合には前者が有利であり、より微妙な応答を求める場合には後者が有利である。
【００６１】
なお、気体室と液体室との間に移動可能な隔壁について、上記ではねじによる移動を例示したが、そのねじとねじ溝との関係は逆になっていても差し支えない。また、ねじ以外の別の方法であっても良い。隔壁を移動させることが本質的問題であるからである。
【００６２】
また、本願発明に係る連通孔の数は１以上であれば、いくつでも良い。ただし、２以上である方が、水の進入、排出が容易になるため好ましい。
【００６３】
この連通孔は、釣りの後で、液体室を洗浄するためにも利用することができる。
【００６４】
連通孔の形状は、上記以外のどのようなものでも良く、目的に応じて任意に定めることができる。
【００６５】
縦筒部７は、浮子の最高部近傍を通って設けるのが好ましい。これにより、連通孔８が浮子の最高部位近傍における開口部２１を介して外部と連結することができ、液体室の空気を容易に排出できるからである。
【００６６】
さらに、上記では、隔壁が漏水防止パッキン等の漏水防止シール部によりシールされているが、このシール法も公知のどのような方法によっても良い。
【００６７】
以上、球形の外観を有する浮子を例に具体的に説明した。
【００６８】
しかしながら、上記に述べた各部品は、必ずしも、上記のままに使用する必要はなく、公知の技術を利用して、適宜変更することが可能である。また、上記の部品の一部を使用せず、逆に上記以外の部品を加えることも、本願発明の趣旨に反しない限り可能である。
【００６９】
たとえば、上記したように、外からドライバによって隔壁を移動させるのではなく、上記半球２と半球３とが螺合しており、捻ることにより二つに分けられるようになっていれば、半球に分け、押し上げナット１４を直接押し上げるようにすることも可能である。
【００７０】
隔壁の移動方法も上記の例に限らず、本願発明の趣旨に反しない限り、どのような公知の手段を採用しても良い。
【００７１】
また、本願発明は球形の浮子に限定されず、本願発明の趣旨に反しない限り、その他のどのようなものにも適用できる。
【００７２】
本願発明に係る浮子を構成する材料としては、本願発明の趣旨に反しない限り、どのようなものを使用することもできる。たとえば、プラスチックス、ゴム、金属、木材、ガラス、セラミックスを適宜組み合わせて使用することができる。
【００７３】
形状としては、棒浮子、唐辛子浮子、コマ浮子等種々の形状の浮子に適用可能である。
【００７４】
機能としては、浮子を遠くに飛ばすための機能（飛ばし浮子）、集魚や夜間の目視のための照明機能（電気浮子）、比較的浮力の大きい籠釣りのための機能等を付与することが可能である。
【００７５】
また、上記のように環を付けた浮子は、仕掛けを遠くへ飛ばす際には、浮子をおもり近くまで移動させ、仕掛けを飛ばした後は、浮子下の釣り糸の長さを伸ばすため、浮子止めのある位置まで浮子を移動させるための移動浮子と呼ばれるものの一種で、環付き浮子と呼ばれるが、このほか、図４に例示するように上記縦筒部７が上下に抜けている、いわゆる中通し浮子と呼ばれるものも本願発明の範疇に属する。
【００７６】
さらに、古くからあるゴム管に差し込むタイプの浮子、釣り糸に浮子固定器具を取り付け、これに浮子を取り付けるタイプの浮子等も本願発明の範疇に属する。
【００７７】
また、本願発明に係る浮子の大きさには特に制限はないが、浮子が立った状態での最大胴回りが２０〜８０ｍｍであるものが、メジナに代表される磯の上物釣りに適している。
【００７８】
また、本願発明に係る浮子と一緒に使用する釣り竿、釣り糸、おもり、釣り針、餌等の釣り具にも特に制限はなく、対象魚種についても特に制限はなく、本願発明の趣旨に反しない限り、河川、湖沼等の淡水域、汽水域、さらには、堤防釣り、防波堤釣り、突堤釣り、磯釣り等の対象である海水域に住むあらゆる魚を対象とすることが可能である。
【００７９】
たとえば、ヘラブナ、マブナ、コイ、ウグイ、オイカワ、イワナ、ヤマメ、アマゴ、マス、ボラ、スズキ、セイゴ、クロダイ、メジナ、アジ、サバ、ウミタナゴ、サヨリ等を例示できる。
【００８０】
【発明の効果】
本願発明に係る浮子を使用すれば、浮力の調整と水中での浮子の落下速度の調整とを容易に行える。更に、この調整を無段階で行うことが可能になる。
【００８１】
【実施例】
以下に、本願発明の浮子の１例を使用して、比重を調節する様子を例示する。
【００８２】
［実施例１］
図１〜３の構造を有し、Ｌ１＝２５ｍｍ、Ｌ２＝２５ｍｍの浮子を作製した。主要部はプラスチックで構成した。
【００８３】
釣りの仕掛けの浮子下部分として、１００ｃｍの長さの１号の釣り糸の一方の先に本願発明に係る浮子を取り付け、他方の端にメジナ用７号の釣り針を取り付け、釣り針より３０ｃｍ離れた位置におもりを付け、釣り針には、餌としてアミを付けた。
【００８４】
この浮子の隔壁を最も下に移動して、この浮子下部分を、比重１．０２４の海水の入った３ｍの水深の水槽に入れ、浮子の上端が水面直下にある状態維持できるように、おもりの重さを調節した。
【００８５】
ついで、この浮子の隔壁を最も上に移動し、浮子の上端が水面直下にあり、浮子から釣り針までが伸びきった状態にしてから手を離し、浮子の沈降速度を測定した。
【００８６】
図５は、海水２６の入った水槽２７の中を、浮子１、釣り糸２２、おもり２３、釣り針２４、餌２５が一体になって沈降して行く様子を示している。なお、理解を容易にするため、各物品の大きさはデフォルメされている。
【００８７】
この結果、０．１５ｍ／秒の沈降速度が得られた。
【００８８】
なお、この浮子は、重量が４．３７９ｇ、体積が６．４７０ｍＬであった。すなわち、空中での比重が、４．３７９／６．４７０＝０．６７７であった。
【００８９】
隔壁を最も下に移動した場合における、縦筒部７部分と液体室内容積との合計は２．０９７ｍＬであった。
【００９０】
また、隔壁を最も上に移動した場合における、縦筒部７部分と液体室内容積との合計は２．３０１ｍＬであった。縦筒部７部分を加えたのは、水中に沈んでいる場合にはこの縦筒部７部分も水で充満され、比重の増大に寄与するからである。
【００９１】
従って、隔壁を最も下に移動した場合における、この浮子が水中に没したときの比重は、（４．３７９＋２．０９７）／６．４７０＝１．００である。
【００９２】
また、隔壁を最も上に移動した場合における、この浮子が水中に没したときの比重は、（４．３７９＋２．３０１）／６．４７０＝１．０３である。
【００９３】
なお、上記計算は、先に説明したように比重１の水を使用したものである。
【００９４】
［実施例２］
実施例１に引き続き、この浮子の隔壁を最も上の位置と最も下の位置との中間的位置に変更し、実施例１と同様にして、浮子の沈降速度を測定した。
【００９５】
この結果、０．０５ｍ／秒の沈降速度が得られた。
【００９６】
このように、隔壁の位置を変更することで、容易に、希望の沈降速度を無段階的に選択できることが示された。
【００９７】
［実施例３］
実施例１の場合のように、浮子の上端が水面直下にある状態に維持できるように、おもりの重さを厳密に調節することをやめ、浮子の頭が少々水面に顔を出した状態になる程度でおもりの調節を止めた以外は実施例１と同様にした。
【００９８】
この結果、０．１０ｍ／秒の沈降速度が得られた。
【００９９】
［実施例４］
実施例１の浮子の開口部２１付近に直径３ｍｍのプラスチック製の中空柱を接着により取り付けた。
【０１００】
おもりを適宜調整して、隔壁を最も上に移動した場合に、当該中空柱の下の方に水面が来るように選んだ。
【０１０１】
その後隔壁の位置を変更することにより、水面に接する中空柱の位置を無段階に変更することが容易にできることを確認した。
【図面の簡単な説明】
【図１】本願発明に係る浮子の１例の横断面図を表す。
【図２】図１の浮子の外観を示す。
【図３】押し上げナットの外観を表す。
【図４】本願発明に係る浮子の他の１例の横断面図を表す。
【図５】浮子、釣り糸、おもり、釣り針、餌が水槽中を沈降して行く様子を示す。
【符号の説明】
１　　浮子
２　　半球
３　　半球
４　　気体室
５　　液体室
６　　隔壁
７　　縦筒部
８，９，１０
連通孔
１１　おもり（ウエイト）
１２　環
１３　隔壁６の下面
１４　押し上げナット
１５　圧縮コイルバネ
１６，１７
漏水防止パッキン
１８　押し上げナットの溝
１９　凸部
２０　縦筒部７の下部外面
２１　浮子の最高部位近傍における開口部
２２　釣り糸
２３　おもり
２４　釣り針
２５　餌
２６　海水
２７　水槽
【図１】
2004081112.tif 000002
【図２】
2004081112.tif 000003
【図３】
2004081112.tif 000004
【図４】
2004081112.tif 000005
【図５】
2004081112.tif 000006